(57)【要約】【課題】袋の取り扱いに掛かる手間を低減できる、袋収納ケース、及び袋供給装置を提供する。【解決手段】袋収納ケース１は、袋束７０を収納するケース本体１１と、ケース本体１１内において袋束７０を保持する保持部１２と、を備える。袋束７０は、各々の厚み方向である第１方向に重なった状態の複数枚の袋７を有する。ケース本体１１は、中心部１１３と、第１端面１１１及び第２端面１１２と、複数枚の袋７の各々を取り出すための取出口１３と、を有する。中心部１１３は、第１方向と交差する第２方向の中心に位置する。第１端面１１１及び第２端面１１２は、第２方向の両端に位置する。取出口１３は、第２方向における中心部１１３と第１端面１１１との間の位置に開口する。保持部１２は、ケース本体１１の第２方向における中心部１１３と第２端面１１２との間に位置する。【選択図】図５
2018090295.tif 000002
【特許請求の範囲】
【請求項１】
各々の厚み方向である第１方向に重なった状態の複数枚の袋を有する袋束を収納するケース本体と、
前記ケース本体内において前記袋束を保持する保持部と、を備え、
前記ケース本体は、
前記第１方向と交差する第２方向の中心に位置する中心部と、
前記第２方向の両端に位置する第１端面及び第２端面と、
前記第２方向における前記中心部と前記第１端面との間の位置に開口し、前記複数枚の袋の各々を取り出すための取出口と、を有し、
前記保持部は、前記ケース本体の前記第２方向における前記中心部と前記第２端面との間に位置する
袋収納ケース。
【請求項２】
前記取出口は、前記ケース本体における前記第１方向の一面に形成されている
請求項１に記載の袋収納ケース。
【請求項３】
前記袋束は、前記複数枚の袋に対して切り離し可能に連結された切離部を有し、
前記保持部は、前記袋束の前記切離部を保持しており、前記複数枚の袋の各々が前記切離部から切り離されることにより、前記袋の保持を解除するように構成されている
請求項１又は２に記載の袋収納ケース。
【請求項４】
前記ケース本体は、前記第１方向の少なくとも一方から、前記袋束における前記複数枚の袋の持ち手を押さえる押さえ部を更に有する
請求項１〜３のいずれか１項に記載の袋収納ケース。
【請求項５】
前記ケース本体は、
ボディと、
前記第１方向において前記ボディとの間に前記袋束を収納する空間を形成するカバーと、を更に有し、
前記カバーは、前記ボディとの間に前記袋束を収納する閉位置と、前記袋束を開放する開位置との間で移動可能に構成されている
請求項１〜４のいずれか１項に記載の袋収納ケース。
【請求項６】
前記カバーは、前記閉位置にある状態で前記第１方向において前記袋束と対向する位置に、前記第１方向に貫通する透孔を有する
請求項５に記載の袋収納ケース。
【請求項７】
各々の厚み方向である第１方向に重なった状態の複数枚の袋を有する袋束から、前記複数枚の袋のうち前記第１方向の一端に位置する１枚の対象袋を取り出す取出機構を備え、
前記取出機構は、
前記対象袋を捕捉する捕捉部と、
前記捕捉部を移動させる移動部と、を有し、
前記第１方向において前記対象袋と対向するように配置された前記捕捉部にて前記対象袋を捕捉した状態で、前記第１方向と交差する第２方向に前記捕捉部を前記移動部にて移動させることにより、前記袋束から前記対象袋を取り出すように構成されている
袋供給装置。
【請求項８】
前記取出機構により取り出した前記対象袋の袋口が広がるように前記対象袋を開く、袋開き機構を更に備える
請求項７に記載の袋供給装置。
【請求項９】
前記取出機構により取り出した前記対象袋について、前記袋束に含まれている状態から前記第２方向における前記対象袋の向きを反転させる反転機構を更に備える
請求項７又は８に記載の袋供給装置。
【請求項１０】
前記取出機構は、前記第２方向における前記捕捉部の向きが反転するように、前記移動部により前記捕捉部を移動させることによって、前記反転機構として兼用される
請求項９に記載の袋供給装置。
【請求項１１】
商品を載せる載置面が形成された支持部と、前記載置面の外周縁に沿って前記支持部の周囲に配置されるガイド部とを有する袋詰装置に対し、前記取出機構により取り出した前記対象袋を、前記対象袋の袋口を下方に向けた状態で前記ガイド部に上方から被せるセット機構を更に備え、
前記セット機構は、前記ガイド部と前記対象袋の袋口との間において、前記ガイド部が前記対象袋の袋口に下方から挿入されるのに先行して、前記対象袋の袋口を少なくとも前記ガイド部が挿入可能な大きさに広げる予備開き部を有する
請求項７〜１０のいずれか１項に記載の袋供給装置。
【発明の詳細な説明】
【技術分野】
【０００１】
本発明は、一般に袋収納ケース、及び袋供給装置に関し、より詳細には複数枚の袋を収納する袋収納ケース、及び袋供給装置に関する。
【背景技術】
【０００２】
特許文献１には、樹脂材からなる袋を多数重ねて貯留できる袋ストッカと、袋を吸着可能な取出手段と、取出手段を搭載した往復移動手段と、袋の上部を開口する開口手段と、投入シュートと、を備えた包装機が記載されている。投入シュートは、開口した袋の内部に物品（所望部品）を案内する。
【０００３】
特許文献１に記載された包装機では、袋は、薄いシートを折りたたみ長方形に形取られ、その一辺のみが開口するように底部と側部とがすでに熱溶着されて構成される。袋ストッカは、コ字型に成形されており、コ字の開口部が上を向くように配される。袋ストッカのコ字の底部には、袋の長方形よりも若干小さな面積からなる抜き穴が形成されている。取出手段は、吸盤を抜き穴に進入させて、袋ストッカの底の袋の中央付近に吸盤を当接させて吸盤で袋を吸着する。取出手段は、袋を吸着した吸盤を後退させて、抜き穴を通して袋ストッカから袋を取り出し、取り出した袋を開口手段に搬送する。
【先行技術文献】
【特許文献】
【０００４】
【特許文献１】特開２０１４−１５２２９号公報
【発明の概要】
【発明が解決しようとする課題】
【０００５】
ところで、特許文献１に記載の包装機では、袋ストッカ内にて複数（多数）枚の袋が積み重ねられているだけであるので、例えば、袋ストッカに複数枚の袋をセットする際、複数枚の袋がばらけてしまわないように、袋を慎重に取り扱う必要がある。そのため、袋の取り扱いに手間が掛かる、という問題がある。
【０００６】
本発明は上記事由に鑑みてなされており、袋の取り扱いに掛かる手間を低減できる、袋収納ケース、及び袋供給装置を提供することを目的とする。
【課題を解決するための手段】
【０００７】
本発明の第１の態様に係る袋収納ケースは、袋束を収納するケース本体と、前記ケース本体内において前記袋束を保持する保持部と、を備える。前記袋束は、各々の厚み方向である第１方向に重なった状態の複数枚の袋を有する。前記ケース本体は、中心部と、第１端面及び第２端面と、前記複数枚の袋の各々を取り出すための取出口と、を有する。前記中心部は、前記第１方向と交差する第２方向の中心に位置する。前記第１端面及び前記第２端面は、前記第２方向の両端に位置する。前記取出口は、前記第２方向における前記中心部と前記第１端面との間の位置に開口する。前記保持部は、前記ケース本体の前記第２方向における前記中心部と前記第２端面との間に位置する。
【０００８】
本発明の第２の態様に係る袋収納ケースは、第１の態様において、前記取出口は、前記ケース本体における前記第１方向の一面に形成されている。
【０００９】
本発明の第３の態様に係る袋収納ケースは、第１又は２の態様において、前記袋束が、前記複数枚の袋に対して切り離し可能に連結された切離部を有する。前記保持部は、前記袋束の前記切離部を保持しており、前記複数枚の袋の各々が前記切離部から切り離されることにより、前記袋の保持を解除するように構成されている。
【００１０】
本発明の第４の態様に係る袋収納ケースは、第１〜３のいずれかの態様において、前記ケース本体が、前記第１方向の少なくとも一方から、前記袋束における前記複数枚の袋の持ち手を押さえる押さえ部を更に有する。
【００１１】
本発明の第５の態様に係る袋収納ケースは、第１〜４のいずれかの態様において、前記ケース本体が、ボディと、カバーと、を更に有する。前記カバーは、前記第１方向において前記ボディとの間に前記袋束を収納する空間を形成する。前記カバーは、前記ボディとの間に前記袋束を収納する閉位置と、前記袋束を開放する開位置との間で移動可能に構成されている。
【００１２】
本発明の第６の態様に係る袋収納ケースは、第５の態様において、前記カバーが、前記閉位置にある状態で前記第１方向において前記袋束と対向する位置に、前記第１方向に貫通する透孔を有する。
【００１３】
本発明の第７の態様に係る袋供給装置は、袋束から、複数枚の袋のうち第１方向の一端に位置する１枚の対象袋を取り出す取出機構を備える。前記袋束は、各々の厚み方向である前記第１方向に重なった状態の前記複数枚の袋を有する。前記取出機構は、前記対象袋を捕捉する捕捉部と、前記捕捉部を移動させる移動部と、を有する。前記取出機構は、前記第１方向において前記対象袋と対向するように配置された前記捕捉部にて前記対象袋を捕捉した状態で、前記第１方向と交差する第２方向に前記捕捉部を前記移動部にて移動させる。これにより、前記取出機構は、前記袋束から前記対象袋を取り出すように構成されている。
【００１４】
本発明の第８の態様に係る袋供給装置は、第７の態様において、前記取出機構により取り出した前記対象袋の袋口が広がるように前記対象袋を開く、袋開き機構を更に備える。
【００１５】
本発明の第９の態様に係る袋供給装置は、第７又は８の態様において、反転機構を更に備える。前記反転機構は、前記取出機構により取り出した前記対象袋について、前記袋束に含まれている状態から前記第２方向における前記対象袋の向きを反転させる。
【００１６】
本発明の第１０の態様に係る袋供給装置は、第９の態様において、前記取出機構が、前記第２方向における前記捕捉部の向きが反転するように、前記移動部により前記捕捉部を移動させることによって、前記反転機構として兼用される。
【００１７】
本発明の第１１の態様に係る袋供給装置は、第７〜１０のいずれかの態様において、セット機構を更に備える。前記セット機構は、袋詰装置に対し、前記取出機構により取り出した前記対象袋を、前記対象袋の袋口を下方に向けた状態でガイド部に上方から被せる。前記袋詰装置は、商品を載せる載置面が形成された支持部と、前記載置面の外周縁に沿って前記支持部の周囲に配置される前記ガイド部と、を有する。前記セット機構は、予備開き部を有する。前記予備開き部は、前記ガイド部と前記対象袋の袋口との間において、前記ガイド部が前記対象袋の袋口に下方から挿入されるのに先行して、前記対象袋の袋口を少なくとも前記ガイド部が挿入可能な大きさに広げる。
【発明の効果】
【００１８】
本発明は、袋の取り扱いに掛かる手間を低減できる、という利点がある。
【図面の簡単な説明】
【００１９】
【図１】図１は、本発明の一実施形態に係る袋収納ケース、袋供給装置、及び袋詰装置の外観図である。
【図２】図２は、本発明の一実施形態に係る買物支援システムのブロック図である。
【図３】図３は、同上の買物支援システムを適用したカウンタ台の外観斜視図である。
【図４】図４は、同上の袋収納ケースの外観斜視図である。
【図５】図５Ａは、同上の袋収納ケースのカバーを閉じた状態の正面図、図５Ｂは、同上の袋収納ケースのカバーを開いた状態の正面図である。
【図６】図６は、同上の袋収納ケースを示す図５ＡのＹ−Ｙ線断面図である。
【図７】図７Ａ〜図７Ｃは、同上の袋供給装置の動作の説明図である。
【図８】図８Ａ及び図８Ｂは、同上の袋供給装置の動作の説明図である。
【図９】図９は、同上の袋供給装置の要部の外観斜視図である。
【図１０】図１０は、同上の袋供給装置及び袋詰装置の要部の外観斜視図である。
【図１１】図１１Ａ〜図１１Ｃは、同上の袋詰装置の袋詰め時の動作の説明図である。
【図１２】図１２Ａ及び図１２Ｂは、同上の袋詰装置の排出時の動作の説明図である。
【図１３】図１３Ａ〜図１３Ｃは、同上の袋詰装置における保持機構の動作の説明図である。
【発明を実施するための形態】
【００２０】
（１）概要
本実施形態に係る袋収納ケース１及び袋供給装置２は、図１に示すように、一例として、袋詰装置３への袋７（図５参照）の供給に用いられる。袋詰装置３は、例えば、コンビニエンスストアやスーパーマーケット、百貨店、ドラッグストア、家電量販店、ホームセンター等の小売店の店舗に導入され、顧客が購入した商品の袋詰めを行うシステムである。ここでいう「袋詰め」は、１乃至複数の商品９１（図３参照）を、袋７に収容する（入れる）作業を意味している。「袋」は、商品９１が入る大きさで、かつ商品９１を出し入れするための袋口を有する袋であればよく、例えば、ポリエチレン製又はポリプロピレン製の買物袋（いわゆるレジ袋）である。
【００２１】
袋詰装置３は、例えば、店舗のレジカウンタや袋詰め台等に設置されており、載置面３１１（図１１Ａ参照）上に設定される所定の袋詰スペースＳ１（図１１Ａ参照）に置かれた商品９１の袋詰めを行う。これにより、顧客は、購入する商品９１を袋詰スペースＳ１に置くだけで、袋７に収容された状態の商品９１を受け取ることができる。したがって、顧客又は店舗の従業員（店員）は、袋詰装置３を用いることで、袋詰めの作業の手間及び時間の省略が可能である。
【００２２】
袋収納ケース１は、袋供給装置２と共に用いられ、袋供給装置２が袋詰装置３に供給する袋７をストックするための器具である。袋収納ケース１は、袋７を複数枚（例えば最大１００枚）まとめて収納することができる。袋供給装置２は、複数枚の袋７をストックした袋収納ケース１から袋７を１枚ずつ取り出して、取り出した袋７を「対象袋」として袋詰装置３に供給する。
【００２３】
また、本実施形態においては、袋収納ケース１及び袋供給装置２は、袋詰装置３及び販売システム４（図３参照）と共に、小売店等の店舗において顧客の買物を支援するための買物支援システム１００（図３参照）を構成する。言い換えれば、買物支援システム１００は、袋収納ケース１と、袋供給装置２と、袋詰装置３と、販売システム４と、を備えている。
【００２４】
販売システム４は、商品９１の販売処理を行うためのシステムである。ここでいう「販売処理」は、売主（店舗）から買主（顧客）に商品９１の所有権を移転し、これに対する対価（代金）を買主が売主に支払う行為（売買）に必要な種々の処理を意味する。例えば、顧客が店内でピックアップした商品９１の商品情報を取得する取得処理、及び顧客から購入を希望する商品９１の指定を受け付ける注文処理等が、販売処理に含まれる。
【００２５】
買物支援システム１００においては、販売システム４と、袋供給装置２及び袋詰装置３とを連動させることにより、下記のような機能を実現する。
【００２６】
すなわち、買物支援システム１００が導入された店舗では、顧客は、１乃至複数の商品９１を店内でピックアップして買物かご９２（図２参照）に収容し、買物かご９２を袋詰スペースＳ１に置いた状態で、販売システム４にて商品９１の精算等を行う。販売システム４は、顧客が販売システム４にて商品９１の精算等を行っている間に、袋詰装置３を作動させて商品９１の袋詰めを行う。袋詰装置３での袋詰めを終了すると、販売システム４は、次回の袋詰めに備えて、袋供給装置２を作動させて袋詰装置３への袋７の供給を行う。これにより、顧客においては、商品９１をピックアップし、販売システム４にて商品９１の精算等を行った後、袋詰めされた状態の商品９１を受け取る、という一連の流れで、買物を済ませることができる。結果的に、顧客が店舗で商品９１を購入する過程において、店員の介入が必須でなくなる。その結果、買物支援システム１００によれば、顧客の買物に掛かる店員及び顧客の手間を軽減することができる。
【００２７】
（２）詳細
以下、本実施形態に係る袋収納ケース１、袋供給装置２、及びこれらを備えた買物支援システム１００について詳しく説明する。本実施形態では、買物支援システム１００が導入される店舗としてコンビニエンスストアを例に説明する。また、本実施形態では、ポリエチレン製の買物袋（いわゆるレジ袋）を袋７の例とする。ここで、袋詰スペースＳ１に商品９１を置く主体は、顧客に限らず、店員であってもよい。例えば、レジカウンタ内に置かれている煙草等の商品にあっては、顧客ではなく、店員が袋詰スペースＳ１に商品９１を置くことになる。
【００２８】
（２．１）買物支援システム
ここではまず、本実施形態に係る買物支援システム１００の全体構成について説明する。買物支援システム１００は、図２及び図３に示すように、袋収納ケース１、袋供給装置２、袋詰装置３、販売システム４、及び買物かご９２を備えている。
【００２９】
販売システム４は、管理装置４１、供給ユニット４２、表示装置４３、入力装置４４、音声出力部４５、及び精算ユニット４６を有している。供給ユニット４２、表示装置４３、入力装置４４、音声出力部４５、及び精算ユニット４６は、いずれも管理装置４１の周辺装置であって、管理装置４１に接続されている。
【００３０】
管理装置４１は、買物かご９２から送信された商品情報を受信する。ここでいう「商品情報」は、商品９１を識別するための情報（商品識別コード）であって、例えば日本国で用いられているＪＡＮ（Japanese Article Number）コード等である。さらに、管理装置４１は、例えば、ＰＯＳ（Point Of Sales）端末からなる店舗端末と通信可能に構成されている。管理装置４１では、買物かご９２から受信した商品情報に基づいて、商品９１についての精算処理を行うことができる。また、管理装置４１は、袋供給装置２及び袋詰装置３と電気的に接続されており、袋供給装置２及び袋詰装置３を制御可能に構成されている。
【００３１】
供給ユニット４２は、特定の商品（例えば煙草）を顧客に供給する装置である。表示装置４３は、顧客に向けて各種の表示を行う装置である。入力装置４４は、例えばジェスチャ検出等により、顧客の操作を受け付ける装置である。さらに、入力装置４４は、マイクロホンを含み、マイクロホンに入力された音声信号に対して音声認識及び意味解析の処理を施す機能を有している。そのため、顧客においては音声による操作（音声入力）も可能である。音声出力部４５は、スピーカを含み、音声によって顧客に向けて各種の情報を提示する装置である。
【００３２】
つまり、販売システム４は、表示装置４３、入力装置４４及び音声出力部４５をユーザインタフェースとして用いることにより、表示又は音声によって各種の情報を顧客に提示したり、顧客の操作（音声入力を含む）を受け付けたりすることができる。ただし、販売システム４による情報の提示は、表示と音声との少なくとも一方で実現されればよく、表示と音声とのいずれか一方で実現されてもよいし、表示と音声との組み合わせで実現されてもよい。
【００３３】
買物かご９２は、バッテリと、バッテリからの電力供給を受けて動作する種々の回路及びモジュールとを含む回路ブロックを内蔵している。この買物かご９２は、単に商品９１を収容するだけでなく、販売システム４（管理装置４１）との通信機能、及び商品９１の商品情報を読み取る機能を有している。買物かご９２は、例えば、バーコードリーダ又はイメージセンサ等を用いて、商品情報を読み取る。これにより、買物かご９２は、顧客が店内でピックアップした商品９１を収容しつつ、商品情報を商品９１から読み取って販売システム４に送信することができる。
【００３４】
袋詰装置３は、買物かご９２に入った状態の商品９１について、袋詰めを行うことが可能である。つまり、顧客は、店内でピックアップした商品９１を買物かご９２に入れ、後述の袋詰スペースＳ１に、商品９１を買物かご９２ごと置くことにより、袋詰装置３に商品９１の袋詰めを行わせることができる。したがって、顧客においては、袋詰めのために商品９１を買物かご９２から取り出す必要がなく、袋詰装置３を用いた商品９１の袋詰めを簡単に行うことができる。買物かご９２に複数の商品９１が収容されている場合には、袋詰装置３は、これら複数の商品９１を一括して袋詰めすることが可能である。本実施形態では、顧客が販売システム４にて商品９１の精算等を行っている間に、商品９１の袋詰めが行われるように、管理装置４１が、販売システム４と連動させて袋詰装置３を制御する。例えば、袋詰装置３は、販売システム４で精算処理が開始又は完了したことをトリガにして、商品９１の袋詰めを開始する。
【００３５】
袋供給装置２は、複数枚の袋７をストックしている袋収納ケース１から、袋７を１枚ずつ取り出して、取り出した袋７を「対象袋」として袋詰装置３に供給する。本実施形態では、袋詰装置３には袋７が常に１枚セット（配置）されるように、管理装置４１が、袋詰装置３と連動させて袋供給装置２を制御する。すなわち、袋詰装置３は、袋供給装置２から供給された１枚の袋７を使用して袋詰めを行うように構成されており、袋詰装置３が１回の袋詰めを行う度に、次回の袋詰めに備えて新たな袋７が１枚ずつ、袋供給装置２から袋詰装置３に供給される。言い換えれば、袋供給装置２は、袋詰装置３で袋詰めが完了したことをトリガにして、袋詰装置３への袋７の供給を開始する。
【００３６】
袋収納ケース１は、袋７を複数枚まとめて収納可能に構成されている。袋収納ケース１は、所定のケース収容スペースＳ２（図１参照）に収容された状態で使用される。つまり、少なくとも１枚の袋７が収納された状態の袋収納ケース１が、ケース収容スペースに配置されることにより、袋供給装置２にて袋収納ケース１から袋７を取り出すことが可能になる。袋収納ケース１は、ケース収容スペースＳ２から取り出すことができ、袋収納ケース１への袋７の補充等は、袋収納ケース１をケース収容スペースＳ２から取り出した状態で行われる。
【００３７】
ところで、買物支援システム１００は、図３に示すように、買物かご９２を除いて、例えば、店舗のレジカウンタに設置される１つのカウンタ台８周辺に設けられている。つまり、カウンタ台８周辺には、袋収納ケース１、袋供給装置２、袋詰装置３、及び販売システム４が設けられている。このようなカウンタ台８は、１つの店舗に対して複数設置されていてもよい。
【００３８】
図３の例では、袋収納ケース１、袋供給装置２、袋詰装置３、及び管理装置４１はカウンタ台８に内蔵される。ここで、袋収納ケース１については、カウンタ台８の内部に設定されたケース収容スペースＳ２に、取出可能な状態で収容されることになる。
【００３９】
カウンタ台８には、上面８１の幅方向（左右方向）の略中央部に開口する凹所８２が形成されている。凹所８２は、袋詰スペースＳ１を形成する。図３の例では買物かご９２は凹所８２内（つまり袋詰スペースＳ１）に置かれているが、買物かご９２は、顧客が店内を移動する際に手に持って、又はカートに載せて使用するので、定位置には固定されない。カウンタ台８を正面から見て凹所８２の奥には、買物かご９２を回収する回収装置８３が配置されている。凹所８２の下方には袋詰装置３が設置されている。
【００４０】
ここで、買物かご９２は、例えば、底板がスライド可能に構成されている。これにより、買物かご９２の底部が開閉可能となり、買物かご９２内に収容された商品９１を、買物かご９２の底部から排出可能となる。さらに、凹所８２の底面は、開閉可能なシャッタ８２１（図１参照）にて構成されている。シャッタ８２１が開放された状態では、凹所８２の下方に位置する袋詰装置３の載置面３１１が、凹所８２の底面より露出する。そのため、シャッタ８２１が開放された状態で、袋詰スペースＳ１に置かれた買物かご９２の底板が開放されれば、買物かご９２内の商品９１は、袋詰装置３の載置面３１１上に排出される。詳しくは「（２．４）袋詰装置」の欄で説明するが、袋詰装置３は、載置面３１１上に置かれた商品９１について袋詰めを行う。そのため、買物かご９２内の商品９１の袋詰めが可能になる。
【００４１】
袋供給装置２は、カウンタ台８を正面から見て、袋詰装置３の右側に配置されている。袋収納ケース１（ケース収容スペースＳ２）は、カウンタ台８を正面から見て、袋供給装置２の右側に配置されている。
【００４２】
供給ユニット４２は、カウンタ台８の上方に位置するように、天井に吊り下げられている。表示装置４３は、供給ユニット４２の下面に固定されており、例えばプロジェクションマッピング技術により、スクリーンに対して映像を投影するように構成されている。ここでは、表示装置４３は、カウンタ台８の上面８１のうち、カウンタ台８を正面から見て凹所８２の右側の領域に映像を投影する。つまり、カウンタ台８の上面８１のうち凹所８２の右側の領域が、表示装置４３のスクリーンとなる。入力装置４４は、カウンタ台８の上面８１上であって、カウンタ台８を正面から見てスクリーンの奥に設置されている。入力装置４４には、音声出力部４５が一体に設けられている。
【００４３】
また、上述した買物支援システム１００の各部の位置関係及び形状等は、一例に過ぎず、適宜変更が可能である。例えば、袋詰装置３及び凹所８２は、カウンタ台８の幅方向（左右方向）の一端部（左端部又は右端部）に配置されていてもよい。さらに、カウンタ台８に凹所８２が形成されていることも買物支援システム１００に必須の構成ではなく、例えば、カウンタ台８の上面８１上に、袋詰スペースＳ１が設定されていてもよい。
【００４４】
以下では、特に断りがない限り、カウンタ台８の上面８１が水平面となる向きで、カウンタ台８が設置されていることとして説明する。つまり、カウンタ台８の上面８１に直交する方向が上下方向（鉛直方向）となる。さらに、以下、カウンタ台８の幅方向（左右方向）を「Ｘ軸方向」とし、奥行方向（前後方向）を「Ｙ軸方向」とし、上下方向（鉛直方向）を「Ｚ軸方向」として説明する。つまり、Ｘ軸方向、Ｙ軸方向、Ｚ軸方向は、互いに直交する方向である。さらに、Ｚ軸方向の正の向きと負の向きとを区別する場合には、図１の方向を基準にし、Ｚ軸方向の正の向きを「上方」、Ｚ軸方向の負の向きを「下方」として説明する。同様に、Ｘ軸方向の正の向きと負の向きとを区別する場合には、図１の方向を基準にし、Ｘ軸方向の正の向きを「右方」、Ｘ軸方向の負の向きを「左方」として説明する。同様に、Ｙ軸方向の正の向きと負の向きとを区別する場合には、Ｙ軸方向の正の向きを「前方」、Ｙ軸方向の負の向きを「後方」として説明する。図面中の「Ｘ軸方向」、「Ｙ軸方向」、及び「Ｚ軸方向」を示す矢印は説明のために表記しているに過ぎず、実体を伴わない。ただし、これらの方向は買物支援システム１００の使用時の方向を限定する趣旨ではなく、例えば、カウンタ台８の上面８１が水平面に対して多少傾斜した状態で、買物支援システム１００が使用されていてもよい。
【００４５】
（２．２）袋収納ケース
次に、袋収納ケース１について、図４〜図６を参照して更に詳しく説明する。
【００４６】
袋収納ケース１は、各々の厚み方向である第１方向に重なった状態の複数枚の袋７を有する袋束７０を収納する。袋束７０は、複数枚の袋７が重ねられた状態で、複数枚の袋７の少なくとも一部が繋がっている。これにより、個々の袋７がばらばらにならずに、複数枚の袋７が一体化された状態で取り扱うことが可能である。すなわち、袋収納ケース１は、複数枚の袋７を個別に収納するのではなく、複数枚の袋７を束ねた袋束７０として、複数枚の袋７をまとめて収納可能である。袋束７０が有する袋７の枚数は適宜変更可能であるが、一例として、袋束７０は１００枚の袋７を束ねて構成される。
【００４７】
袋収納ケース１は、ケース本体１１と、保持部１２（図５Ｂ参照）と、を備えている。ケース本体１１は、袋束７０を収納する。保持部１２は、ケース本体１１内において袋束７０を保持する。
【００４８】
ここで、ケース本体１１は、中心部１１３と、第１端面１１１と、第２端面１１２と、取出口１３と、を有している。中心部１１３は、ケース本体１１において、第１方向と交差する第２方向の中心に位置する。第１端面１１１及び第２端面１１２は、第２方向の両端に位置する。袋収納ケース１が、ケース収容スペースＳ２に収容された状態では、Ｘ軸方向（左右方向）が第１方向となり、Ｚ軸方向（上下方向）が第２方向となるので、本実施形態では、「第１方向」をＸ軸方向、「第２方向」をＺ軸方向として説明する。さらに、本実施形態では、ケース本体１１の下端面が第１端面１１１、上端面が第２端面１１２である。
【００４９】
取出口１３は、複数枚の袋７の各々を取り出すための口であって、ケース本体１１のＺ軸方向における中心部１１３と第１端面１１１との間の位置に開口している。一方、保持部１２は、ケース本体１１のＺ軸方向における中心部１１３と第２端面１１２との間に位置する。つまり、図５Ａに示すように、ケース本体１１を中心部１１３にてＺ軸方向に二分した場合に、取出口１３は第１端面１１１側の領域Ｚ１に位置し、保持部１２は第２端面１１２側の領域Ｚ２に位置する。言い換えれば、取出口１３と保持部１２とは、ケース本体１１の中心部１１３に対してＺ軸方向における互いに反対側に位置する。
【００５０】
本実施形態では、ケース本体１１は、ボディ１１４と、カバー１１５と、を更に有している。ボディ１１４及びカバー１１５は、例えば、合成樹脂製である。カバー１１５は、Ｘ軸方向においてボディ１１４との間に袋束７０を収納する空間を形成する。ボディ１１４とカバー１１５とは、Ｘ軸方向に組み合わされてケース本体１１を構成する。ここで、カバー１１５は、ボディ１１４に対して開閉可能に構成されている。つまり、カバー１１５は、ボディ１１４との間に袋束７０を収納する閉位置と、袋束７０を開放する開位置との間で移動可能に構成されている。本実施形態では、ケース本体１１は、Ｙ軸方向の一端部に一対のヒンジ構造１４を有しており、一対のヒンジ構造１４にてカバー１１５がボディ１１４に連結されている。さらに、ケース本体１１は、Ｙ軸方向の他端部に一対のロック構造１５を有しており、一対のロック構造１５にてカバー１１５が閉位置に保持可能に構成されている。そのため、ケース本体１１は、Ｙ軸方向の一端部を軸として、カバー１１５が開閉可能となる、いわゆる横開きの構造となる。図５Ａは、カバー１１５が閉位置にある状態を示し、図５Ｂは、カバー１１５が開位置にある状態を示している。
【００５１】
取出口１３は、ケース本体１１におけるＸ軸方向の一面に形成されている。ここでは、ケース本体１１における右側面に取出口１３が形成されている。本実施形態では、カバー１１５のＺ軸方向の寸法が、ボディ１１４のＺ軸方向の寸法よりも小さく設定されており、カバー１１５は、ボディ１１４の下部（第１端面１１１側の端部）を覆わないように、ボディ１１４と組み合わされている。そのため、ケース本体１１におけるＸ軸方向の一面においては、カバー１１５の下方に取出口１３が開口することになる。
【００５２】
ここにおいて、袋束７０は、複数枚の袋７に対して切り離し可能に連結された切離部７０１を有している。本実施形態では、切離部７０１は、個々の袋７における袋口７１の中央部分に連結されている。切離部７０１と複数枚の袋７の各々との間には、切離部７０１から個々の袋７を切り離すためのカット線７０２が形成されている。カット線７０２上には、カット線７０２での袋７の切り離しが容易になるように、例えば、ミシン目等の加工が施されている。また、複数枚の袋７の各々は、表面にエンボス加工が施されていることが好ましい。これにより、袋束７０の状態において隣接する一対の袋７同士が分離しやすく、袋束７０から１枚の袋７を取り出しやすくなる。さらに、詳しくは後述するが、袋７の表面にエンボス加工が施されていることにより、真空吸着パッドでの袋７の吸着が容易になる。
【００５３】
保持部１２は、袋束７０の切離部７０１を保持しており、複数枚の袋７の各々が切離部７０１から切り離されることにより、袋７の保持を解除するように構成されている。本実施形態では、保持部１２は、図５Ｂに示すように、ピン１２１と、受け具１２２と、を有している。ピン１２１は、ボディ１１４におけるカバー１１５との対向面から突出している。受け具１２２は、合成ゴム等の弾性体からなり、中央に穴が形成された円盤状の部材であって、カバー１１５におけるボディ１１４との対向面に配置されている。切離部７０１の孔をピン１２１が貫通することにより、袋束７０は切離部７０１にて保持部１２に保持される。さらに、カバー１１５が閉位置にある状態では、受け具１２２の穴にピン１２１が挿入されることにより、ピン１２１から切離部７０１が抜け落ちることが防止される。
【００５４】
要するに、保持部１２は、受け具１２２にてボディ１１４との間に切離部７０１を挟むようにして、切離部７０１を保持する。図５Ｂでは、切離部７０１において受け具１２２にて押さえられる領域を２点鎖線で示している。したがって、カバー１１５が開放された状態、つまりカバー１１５が開位置にある状態においては、保持部１２による袋束７０の保持が解除され、袋束７０の交換又は補充が可能になる。また、複数枚の袋７の各々は、カット線７０２を介して切離部７０１と連結されているので、カット線７０２にて切離部７０１から切り離されることにより、保持部１２による個々の袋７の保持が解除される。
【００５５】
ここで、袋束７０における複数枚の袋７は、図５Ｂに示すように、袋口７１を上方（Ｚ軸方向の正の向き）に向け、かつ各々の袋口７１が閉じた状態で、Ｘ軸方向に重なるようにして袋収納ケース１に収納されている。複数枚の袋７の各々は、袋口７１におけるＹ軸方向の両端部に一対の持ち手７４が位置し、かつ袋口７１におけるＹ軸方向の中央部がカット線７０２を介して切離部７０１と連結されている。本実施形態に係る袋収納ケース１においては、このような状態で収納される袋束７０を、ボディ１１４とカバー１１５とで挟み込んでいる。そのため、複数枚の袋７の各々においては、例えば、袋口７１から空気が入ることにより側周部７３がＸ軸方向に広がることが抑制され、袋束７０のＸ軸方向における寸法の膨張が抑制される。
【００５６】
上述したような構成により、袋収納ケース１は、複数枚の袋７をまとめて収納可能である。しかも、袋収納ケース１は、複数枚の袋７を有する袋束７０を保持部１２にて保持するので、袋収納ケース１内において複数枚の袋７がばらばらになることが抑制される。さらに、袋収納ケース１は、ケース本体１１の中心部１１３に対してＺ軸方向において保持部１２の反対側に位置する取出口１３から、袋７を１枚ずつ取り出すことが可能である。すなわち、ケース本体１１における右側面に形成された取出口１３からは、少なくとも１枚の袋７が露出することになる。取出口１３は、ケース本体１１における下端部に位置するので、取出口１３からは、袋７の底部７２側の端部が露出する。そのため、取出口１３から露出した１枚の袋７を何らかの手段で捕捉した状態で、この袋７を下方（Ｚ軸方向の負の向き）に引っ張ることにより、保持部１２での保持を解除し、取出口１３を通して袋収納ケース１から１枚の袋７を取り出すことが可能である。
【００５７】
ここで、ボディ１１４は、袋口７１における一対の持ち手７４の間の領域を上方から覆う一対の庇部１６を有している。一対の庇部１６は、保持部１２にてＹ軸方向に二分されている。
【００５８】
また、カバー１１５は、閉位置にある状態でＸ軸方向において袋束７０と対向する位置に、Ｘ軸方向に貫通する透孔１７を有する。本実施形態では、カバー１１５には、３個の透孔１７が形成されている。透孔１７が設けられていることにより、透孔１７が無い構成に比較して、カバー１１５と袋７との間の摩擦抵抗が低減され、袋収納ケース１からの袋７の取り出しが容易になる。
【００５９】
ケース本体１１は、Ｚ軸方向の両端面（第１端面１１１及び第２端面１１２）から、Ｚ軸方向に突出する一対の規制突起１１６を更に有している。一対の規制突起１１６の各々は、Ｙ軸方向に長く形成されている。一対の規制突起１１６により、ケース収容スペースＳ２に対して袋収納ケース１を出し入れする際に、袋収納ケース１の移動方向がＹ軸方向に規制される。
【００６０】
また、ケース本体１１は、取っ手１１７を更に有している。取っ手１１７は、ケース本体１１におけるＹ軸方向の一端面から突出する。取っ手１１７は、例えば、ケース収容スペースＳ２から袋収納ケース１を取り出す際に使用される。
【００６１】
ところで、図６に示すように、ケース本体１１は、押さえ部１８を更に有する。押さえ部１８は、Ｘ軸方向の少なくとも一方から、袋束７０における複数枚の袋７の持ち手７４を押さえる。図６は、図５ＡのＹ−Ｙ線断面図である。本実施形態では、押さえ部１８は、カバー１１５におけるボディ１１４との対向面から突出する。さらに、ボディ１１４において押さえ部１８と対向する位置には、窪み１１８が形成されている。これにより、袋束７０における複数枚の袋７の持ち手７４は、押さえ部１８に押されて窪み１１８内に押し込まれることになる。その結果、袋束７０における複数枚の袋７の持ち手７４が、自重で垂れ下がることが抑制され、持ち手７４がばらばらになりにくい。
【００６２】
また、ケース本体１１は、ボディ１１４における袋束７０との対向面にクッション材１９を更に有している。クッション材１９は、例えば、合成ゴム等のシート状の弾性体からなる。クッション材１９により、後述する袋供給装置２の捕捉部２１での袋７の捕捉が容易になる。
【００６３】
（２．３）袋供給装置
次に、袋供給装置２について、更に詳しく説明する。
【００６４】
袋供給装置２は、袋詰装置３に袋７を供給する機構である。以下では、袋供給装置２が、袋収納ケース１から取り出して、袋詰装置３に供給するまでの状態にある１枚の袋７を、対象袋７００（図７Ａ参照）として説明する。袋供給装置２は、袋詰装置３における支持部３１（図１０参照）及びガイド部３２（図１０参照）に対して、袋口７１を下方に向けた状態の対象袋７００を被せるように動作する。袋詰装置３について詳しくは「（２．４）袋詰装置」の欄で説明する。
【００６５】
袋供給装置２は、図１に示すように、取出機構２０と、袋開き機構５と、セット機構６と、を備えている。図１は、カウンタ台８を後方（Ｙ軸方向の負の向き）から見た図であって、カウンタ台８の一部を破断し、カウンタ台８に内蔵されている袋収納ケース１、袋供給装置２、及び袋詰装置３の要部が見えるようにした概略図である。図１では、以下の説明に必要のない部品の図示を適宜省略している。
【００６６】
取出機構２０は、複数枚の袋７を有する袋束７０から、複数枚の袋７のうちＸ軸方向の一端に位置する１枚の対象袋７００を取り出す。本実施形態では、袋供給装置２は、袋収納ケース１に収納された状態の袋束７０から、対象袋７００を取り出す。具体的には、カウンタ台８のフレーム８０に形成されているケース収容スペースＳ２に、「（２．２）袋収納ケース」の欄で説明した袋収納ケース１が収容された状態で、袋供給装置２は、袋収納ケース１から対象袋７００となる１枚の袋７を取り出す。本実施形態では、上述したように袋収納ケース１における右側面に形成された取出口１３から袋７が取出可能であるので、取出機構２０は、取出口１３に対向するように、ケース収容スペースＳ２から見て右方に配置される。これにより、取出機構２０は、複数枚の袋７のうち右端に位置する１枚の袋７を、対象袋７００として取り出すことができる。
【００６７】
ここで、取出機構２０は、捕捉部２１と、移動部２２と、を有している。捕捉部２１は、対象袋７００を捕捉する。捕捉部２１は、例えば、真空吸着パッドであって、袋収納ケース１との対向面が対象袋７００を吸着する吸着面となる。移動部２２は、捕捉部２１を移動させる。移動部２２は、少なくとも捕捉位置と反転位置との間で、カウンタ台８のフレーム８０に対して捕捉部２１を相対的に移動させる。ここでいう「捕捉位置」は、Ｘ軸方向において対象袋７００と対向するときの捕捉部２１の位置であって、図７Ａのように、ケース収容スペースＳ２に収容された袋収納ケース１の取出口１３と対向する位置である。つまり、捕捉部２１が捕捉位置にある状態では、取出口１３から見て右方に捕捉部２１が位置する。また、ここでいう「反転位置」は、図７Ｂのように、Ｚ軸方向における捕捉部の向きが、捕捉位置に対して反転する位置である。詳しくは後述するが、取出機構２０は、Ｚ軸方向における対象袋７００の向きを反転させるための反転機構として兼用される。
【００６８】
袋開き機構５は、取出機構２０により取り出した対象袋７００の袋口７１が広がるように、対象袋７００を開く機構である。つまり、袋束７０の状態では、複数枚の袋７は、各々の袋口７１が閉じた状態で、Ｘ軸方向に重なるように袋収納ケース１に収納されている。よって、取出機構２０により取り出された対象袋７００についても、袋口７１が閉じた状態にある。そこで、袋供給装置２は、袋詰装置３に供給する、つまり袋詰装置３に被せる対象袋７００について、袋開き機構５により、袋口７１を広げる処理を行う。
【００６９】
本実施形態では、袋開き機構５は、第１吸着パッド５１と、第２吸着パッド５２と、を有している。第１吸着パッド５１及び第２吸着パッド５２は、捕捉部２１が反転位置にある状態で、対象袋７００の側周部７３のＸ軸方向の両側に位置する。第１吸着パッド５１及び第２吸着パッド５２の各々は、例えば、真空吸着パッドであって、捕捉部２１が反転位置にある状態での対象袋７００との対向面が対象袋７００（側周部７３）を吸着する吸着面となる。袋開き機構５は、対象袋７００の側周部７３をＸ軸方向の両側から吸着した状態の第１吸着パッド５１及び第２吸着パッド５２を、互いに離れるように移動させることにより、対象袋７００の袋口７１を広げる。
【００７０】
セット機構６は、取出機構２０により取り出した対象袋７００を、対象袋７００の袋口７１を下方に向けた状態でガイド部３２に上方から被せることにより、袋詰装置３に対して対象袋７００をセット（準備）する機構である。ここでは、セット機構６は、袋開き機構５によって開いた状態の対象袋７００を、支持部３１及びガイド部３２に対して、上方から被せることにより、対象袋７００をセットする。
【００７１】
本実施形態では、セット機構６は、予備開き部６１と、第２昇降部６２と、を有している。第２昇降部６２は、ガイド部３２をカウンタ台８のフレーム８０に対して相対的にＺ軸方向に移動させる。すなわち、予備開き部６１にて袋口７１が開いた状態の対象袋７００の下方にあるガイド部３２を、第２昇降部６２が上昇させることにより、対象袋７００の袋口７１からガイド部３２が挿入される。予備開き部６１は、ガイド部３２と対象袋７００の袋口７１との間において、ガイド部３２が対象袋７００の袋口７１に下方から挿入されるのに先行して、対象袋７００の袋口７１を広げる。予備開き部６１は、少なくともガイド部３２が挿入可能な大きさに、対象袋７００の袋口７１を広げる。
【００７２】
以下、袋供給装置２の動作について、図７Ａ〜図８Ｂを参照して説明する。図７Ａ〜図８Ｂでは、袋供給装置２の動作を模式的に表しており、第１昇降部３３等の図示を適宜省略している。また、図７Ａ〜図８Ｂでは、移動後の各部の状態を想像線（２点鎖線）で示している。
【００７３】
まず、取出機構２０は、図７Ａに示すように、捕捉部２１が捕捉位置にある状態で、袋収納ケース１に収納されている複数枚の袋７のうち、右端（Ｘ軸方向の一端）に位置する１枚の袋７を捕捉する。具体的には、捕捉部２１は、袋収納ケース１における下端部に配置された取出口１３からは対象袋７００の底部７２側の端部が露出するので、捕捉部２１は、対象袋７００の底部７２側の端部を右側から吸着することにより、対象袋７００を捕捉する。捕捉部２１が対象袋７００を捕捉（吸着）する際、移動部２２は、捕捉部２１が対象袋７００に接触した位置から更に捕捉部２１を対象袋７００側に一旦押し込むことにより、捕捉部２１による吸着の確実性が向上する。
【００７４】
そして、取出機構２０は、捕捉位置に配置された捕捉部２１にて対象袋７００を捕捉した状態で、Ｘ軸方向に交差（ここでは直交）するＺ軸方向の負の向き（下方）に捕捉部２１を移動部２２にて移動させることにより、袋束７０から対象袋７００を取り出す。このとき、袋収納ケース１内では、対象袋７００の底部７２側の端部が下方に引っ張られ、カット線７０２にて対象袋７００が切離部７０１から切り離されることで、保持部１２による対象袋７００の保持が解除される。これにより、取出口１３から対象袋７００が取出可能となる。すなわち、取出機構２０は、袋収納ケース１の取出口１３から露出する１枚の袋７（対象袋７００）を捕捉した状態の捕捉部２１を、移動部２２にてＺ軸方向に移動させることによって、取出口１３から対象袋７００を引っ張り出すことができる。
【００７５】
ここにおいて、捕捉部２１が対象袋７００を捕捉（吸着）する際、捕捉部２１は、対象袋７００のうち底部７２側の端部に位置する貼合部７５（図４参照）を捕捉（吸着）することが好ましい。すなわち、複数枚の袋７の各々は、一対のシート（右側面を構成するシート及び左側面を構成するシート）が熱溶着等により貼り合わされた貼合部７５を有している。捕捉部２１は、貼合部７５を捕捉することにより、移動部２２が捕捉部２１をＺ軸方向に移動させる際、対象袋７００を構成する一対のシートを均等に引っ張ることができ、保持部１２による対象袋７００の保持が解除されやすくなる。同様の理由から、捕捉部２１が対象袋７００を捕捉（吸着）する際、捕捉部２１は、対象袋７００のうち底部７２に極力近い部位を捕捉することが好ましい。すなわち、捕捉部２１が捕捉する部位が対象袋７００の底部７２に近い程、移動部２２が捕捉部２１をＺ軸方向に移動させる際、対象袋７００を構成する一対のシートを均等に引っ張ることができ、保持部１２による対象袋７００の保持が解除されやすくなる。
【００７６】
ここで、取出機構２０は、対象袋７００を捕捉した状態の捕捉部２１を、移動部２２により反転位置まで移動させる。これにより、取出機構２０は、袋収納ケース１から取り出された対象袋７００について、袋束７０に含まれている状態から、Ｚ軸方向における対象袋７００の向きを反転させることができる。すなわち、移動部２２は、捕捉部２１をＺ軸方向に移動させて袋収納ケース１から対象袋７００を引っ張り出すだけでなく、更に捕捉部２１を移動させることによって、捕捉部２１に捕捉されている対象袋７００の向きを反転させるように動作する。これにより、取出機構２０は、反転機構として兼用されることになる。
【００７７】
捕捉部２１が反転位置まで移動した状態では、図７Ｂに示すように、捕捉部２１は、対象袋７００の底部７２側の端部を吸着することにより、袋口７１を下方（Ｚ軸方向の負の向き）に向けた逆さ吊りの姿勢で、対象袋７００を保持することになる。この状態において、移動部２２は、捕捉部２１を右方（Ｘ軸方向の正の向き）へと直進移動させる。
【００７８】
その後、図７Ｃに示すように、袋開き機構５は、対象袋７００の右方に位置する第２吸着パッド５２を、左方（Ｘ軸方向の負の向き）へと直進移動させ、対象袋７００の左方に位置する第１吸着パッド５１と第２吸着パッド５２との間に対象袋７００を挟み込む。この状態で、袋開き機構５は、第１吸着パッド５１及び第２吸着パッド５２にて、対象袋７００の側周部７３をＸ軸方向の両側から吸着する。このとき、捕捉部２１による対象袋７００の吸着が解除され、捕捉部２１から対象袋７００が解放される。袋開き機構５は、第１吸着パッド５１及び第２吸着パッド５２で対象袋７００を吸着したまま、第２吸着パッド５２を右方（Ｘ軸方向の正の向き）へと直進移動させることにより、対象袋７００の袋口７１をＸ軸方向に広げる。これにより、対象袋７００は、第１吸着パッド５１と第２吸着パッド５２とでＸ軸方向の両側から引っ張られ、袋口７１が開いた状態で保持される。
【００７９】
その後、図８Ａに示すように、セット機構６は、対象袋７００の下方に位置する袋詰装置３（ガイド部３２）を、第２昇降部６２にて上方（Ｚ軸方向の正の向き）に移動させる。詳しくは「（２．４）袋詰装置」の欄で説明するが、袋供給装置２による袋詰装置３への袋７の供給時、第２昇降部６２によるガイド部３２の上昇に併せて、袋詰装置３の第１昇降部３３が支持部３１を上昇させる。これにより、袋供給装置２による袋詰装置３への袋７の供給時、支持部３１及びガイド部３２の両方が、カウンタ台８のフレーム８０に対して相対的に上昇する。
【００８０】
このとき、ガイド部３２が対象袋７００の袋口７１に下方から挿入されるのに先行して、予備開き部６１が、対象袋７００の袋口７１を広げる。予備開き部６１は、袋口７１の四隅（Ｘ−Ｙ平面内での四隅）を、袋口７１の内側から広げるように動作することにより、対象袋７００の袋口７１について、ガイド部３２を挿入可能な大きさを確保する。この状態で、袋詰装置３（支持部３１及びガイド部３２）が所定位置まで上昇することにより、図８Ｂに示すように、袋口７１を下方に向けた対象袋７００を、袋詰装置３に上方から被せることができる。これにより、袋供給装置２は、袋詰装置３への対象袋７００の供給を完了する。
【００８１】
以下、袋供給装置２の具体的な構成について、図９及び図１０を参照して説明する。
【００８２】
袋供給装置２は、図９に示すように、捕捉部２１と、捕捉部２１をカウンタ台８のフレーム８０に対して相対的に移動させる移動部２２と、を備えている。捕捉部２１及び移動部２２は、上述したように取出機構２０を構成する。
【００８３】
図９の例では、捕捉部２１は、ベルト駆動式の移動部２２によって、捕捉位置と反転位置との間を双方向に移動可能に構成されている。すなわち、移動部２２は、可動枠２２１と、一対のプーリ２２２と、一対のベルト２２３と、第１モータ２２４と、一対のスライドレール２２５と、第２モータ２２６と、を含んでいる。
【００８４】
可動枠２２１は、Ｘ軸方向の両面が開放された枠状の部材であって、一対のスライドレール２２５及び第２モータ２２６によってＸ軸方向に移動可能に構成されている。一対のプーリ２２２は、可動枠２２１のＺ軸方向の両端部に配置されている。一対のプーリ２２２の各々は、Ｙ軸を回転軸として回転可能に構成されている。一対のベルト２２３は、可動枠２２１のＹ軸方向の両端部に配置されている。一対のベルト２２３の各々は、一対のプーリ２２２間に架け渡されている。第１モータ２２４は、一対のプーリ２２２のうちの一方（本実施形態では上側）のプーリ２２２に駆動力（回転力）を与えることにより、一対のベルト２２３を駆動する。一対のスライドレール２２５は、カウンタ台８のフレーム８０に固定されており、可動枠２２１の移動方向をＸ軸方向に規制する。第２モータ２２６は、直動モータであって、可動枠２２１に対してＸ軸方向に沿った駆動力を与えることにより、可動枠２２１を駆動する。
【００８５】
捕捉部２１は、一対のベルト２２３間に架け渡されるように取り付けられている。そのため、第１モータ２２４が一対のベルト２２３を駆動することにより、一対のベルト２２３の外周に形成されるＺ軸方向に長い長円状の経路上を、捕捉部２１が移動する。ここで、捕捉部２１の吸着面は、一対のベルト２２３とは反対側に向けられている。これにより、捕捉部２１が対象袋７００を捕捉した状態で、第１モータ２２４が一対のベルト２２３を駆動すると、対象袋７００は、一対のベルト２２３の外周に形成されるＺ軸方向に長い長円状の経路上を移動する。また、第２モータ２２６が可動枠２２１を駆動することにより、捕捉部２１はＸ軸方向に直進移動する。上記構成により、図７Ａ〜図７Ｃに示したような移動部２２による捕捉部２１の移動が実現される。
【００８６】
さらに、可動枠２２１には、袋開き機構５における第１吸着パッド５１が固定されている。ここで、第１吸着パッド５１の吸着面は、ケース収容スペースＳ２とは反対側（右側）に向けられており、一対のベルト２２３の間から露出する。第１吸着パッド５１の吸着面には、複数の吸着口５１１が配置されている。これにより、移動部２２が可動枠２２１をＸ軸方向に移動させることにより、第１吸着パッド５１が可動枠２２１と共にＸ軸方向に移動する。上記構成により、図７Ａ〜図７Ｃに示したような第１吸着パッド５１の移動が実現される。
【００８７】
本実施形態では、捕捉部２１及び第１吸着パッド５１の各々は、真空吸着パッドからなるので、ホース２３によって真空ポンプに繋がっている。真空ポンプは、例えば、カウンタ台８におけるケース収容スペースＳ２の左方に収納されている。また、一方のベルト２２３には、ベルト２２３とプーリ２２２との間にホース２３が噛み込むことを防止するホースガイド２４が取り付けられている。
【００８８】
また、袋供給装置２は、図１０に示すように、予備開き部６１と、第２昇降部６２と、リンク６３と、を含むセット機構６を更に備えている。すなわち、本実施形態では、セット機構６は、予備開き部６１、第２昇降部６２、及びリンク６３を有している。
【００８９】
第２昇降部６２は、第２支柱６２１と、第２アーム６２２と、を有している。第２支柱６２１は、上下方向に長い支柱であって、カウンタ台８のフレーム８０に固定されている。第２アーム６２２は、第２支柱６２１の長手方向（上下方向）に沿って移動可能である。第２アーム６２２の一端部はガイド部３２の側面に機械的に結合されている。第２昇降部６２は、第２アーム６２２を上下方向に移動（昇降）させることにより、ガイド部３２を昇降させる。第２昇降部６２は、電動機（モータ）を含み、パンタグラフ式やラックピニオン式等、電動機で発生する駆動力により第２アーム６２２を上下方向に直進移動させることが可能な適宜の機構で実現される。
【００９０】
予備開き部６１は、複数枚（ここでは４枚）のフラップ６１１にて構成されている。複数枚のフラップ６１１は、ガイド部３２に対してＹ軸方向の両側に分かれて配置されている。本実施形態では、ガイド部３２の前方に一対のフラップ６１１が位置し、ガイド部３２の後方にも一対のフラップ６１１が位置する。複数枚のフラップ６１１の各々は、Ｘ軸方向に沿った回転軸６１２回りで回転可能に構成されている。複数の回転軸６１２は、複数の固定具６４にて支持されている。複数の固定具６４は、カウンタ台８のフレーム８０に固定されている。複数枚のフラップ６１１の各々は、水平方向に沿った「待機位置」（図１０の状態）と、鉛直方向に沿った「作動位置」（図８Ｂの状態）との間で回転移動する。
【００９１】
リンク６３は、第２昇降部６２に連動して複数枚のフラップ６１１を開閉（回転）させる機構である。すなわち、第２昇降部６２がガイド部３２を上昇させると、リンク６３を介して、複数枚のフラップ６１１が待機位置から跳ね上げられるように回転し、作動位置に移動する。このとき、予備開き部６１は、袋口７１の四隅（Ｘ−Ｙ平面内での四隅）を、作動位置にある複数枚のフラップ６１１にて、袋口７１の内側から広げることになる。上記構成により、予備開き部６１は、ガイド部３２の上昇に伴って、複数枚のフラップ６１１にて対象袋７００を袋口７１の内側から開くように動作し、図８Ａ〜図８Ｂに示したような予備開き部６１の動作が実現される。作動位置にある複数枚のフラップ６１１で形成される外周形状（袋口７１の内周形状）は、ガイド部３２の外周形状の相似の関係にあることが好ましい。袋詰めが完了してガイド部３２が下降すると、複数枚のフラップ６１１は待機位置に移動する。
【００９２】
（２．４）袋詰装置
次に、袋詰装置３について、更に詳しく説明する。
【００９３】
本実施形態に係る袋詰装置３は、図１０に示すように、支持部３１と、ガイド部３２と、第１昇降部３３と、を有している。
【００９４】
支持部３１は、矩形板状に形成されている。支持部３１の上面は、商品９１を載せるための載置面３１１を構成する。ここでは、載置面３１１は角部が丸く形成された長方形状である。
【００９５】
ガイド部３２は、上面及び下面のうち少なくとも上面が開口した筒状に形成されている。本実施形態では、ガイド部３２は、上面及び下面の両方が開口した角筒状に形成されている。ガイド部３２の開口面は載置面３１１より一回り大きく形成されており、ガイド部３２は載置面３１１の外周縁に沿って支持部３１の周囲に配置される。ここで、ガイド部３２の上端面の内周縁の形状と、載置面３１１の外周縁の形状とは相似の関係にある。
【００９６】
第１昇降部３３は、支持部３１とガイド部３２との相対的な位置関係を、第１状態から第２状態へ変化させる。ここでは、支持部３１がガイド部３２の上端部に位置する状態を、第１状態とする。支持部３１とガイド部３２との相対的な位置関係が第１状態にあるとき、支持部３１の上面（載置面３１１）とガイド部３２の上端面とは略面一になる。そのため、第１状態においては、支持部３１はガイド部３２の上面側の開口を塞ぐような配置になる。第２状態は、ガイド部３２に対する支持部３１の相対的な位置が第１状態よりも下方になる状態である。
【００９７】
言い換えれば、支持部３１は、ガイド部３２に囲まれた空間内において、ガイド部３２に対して相対的に移動する。本実施形態では、第１昇降部３３は、支持部３１及びガイド部３２のうち支持部３１のみを下方に移動させることにより、支持部３１とガイド部３２との相対的な位置関係を、第１状態から第２状態へと変化させる。すなわち、支持部３１は、定位置に固定された筒状のガイド部３２内を、第１昇降部３３により上下方向に移動するように構成されている。
【００９８】
より詳細には、第１昇降部３３は、第１支柱３３１と、第１アーム３３２と、を有している。第１支柱３３１は、上下方向に長い支柱であって、カウンタ台８のフレーム８０に固定されている。第１アーム３３２は、第１支柱３３１の長手方向（上下方向）に沿って移動可能である。第１アーム３３２は、ガイド部３２の側面に形成されたスリットを通してガイド部３２の内部に挿入され、ガイド部３２の内部において、第１アーム３３２の一端部が支持部３１の下面に機械的に結合されている。第１昇降部３３は、第１アーム３３２を上下方向に移動（昇降）させることにより、支持部３１を昇降させる。第１昇降部３３は、電動機（モータ）を含み、パンタグラフ式やラックピニオン式等、電動機で発生する駆動力により第１アーム３３２を上下方向に直進移動させることが可能な適宜の機構で実現される。
【００９９】
以下、袋詰装置３の動作について、図１１Ａ〜図１２Ｂを参照して説明する。図１１Ａ〜図１２Ｂでは、袋詰装置３の動作を模式的に表しており、袋供給装置２及び第１昇降部３３等の図示を適宜省略している。
【０１００】
図１１Ａ〜図１１Ｃは、支持部３１とガイド部３２との相対的な位置関係が第１状態から第２状態へと変化する際、商品９１が袋７に収容される過程を表している。図では、ペットボトル飲料、箱入り菓子及び缶ジュースといった複数の商品９１を例示しているが、商品９１は１つでもよい。また、ここでは一例として、図１１Ｂの過程において買物かご９２が袋詰装置３上から撤去されているが、買物かご９２が撤去されるタイミングは、図１１Ｃの過程であってもよいし、又はそれ以降であってもよい。
【０１０１】
まず、支持部３１とガイド部３２との相対的な位置関係が第１状態にあるとき、図１１Ａに示すように、袋口７１を下向きとする袋７が支持部３１及びガイド部３２に被せられ、袋７の底部７２が載置面３１１にて支持されている。袋詰装置３は、図１１Ａに示す状態を待機状態とし、商品９１の入った買物かご９２が載置面３１１上の袋詰スペース（凹所８２内）に置かれるまで、待機状態で待機する。本実施形態では、買物かご９２が袋詰スペース（凹所８２内）に置かれると、まずは凹所８２の底面を構成するシャッタ８２１が開放される。それから、買物かご９２の底部が開放されることにより、買物かご９２内の商品９１が、袋詰装置３の載置面３１１上に排出される。これにより、商品９１が袋７ごしに載置面３１１上に載せられることになる。このとき、底部７２は、商品９１の重量に加えて、後述する保持機構３４の保持力により載置面３１１に保持されている。
【０１０２】
この状態（第１状態）から、第１昇降部３３にて、ガイド部３２に対して支持部３１が相対的に下方に移動することで、図１１Ｂに示すように、袋７がガイド部３２の内側に徐々に引き込まれる。このとき、袋７の底部７２に連続する袋７の側周部７３は、ガイド部３２の上端面にてしごかれながら、ガイド部３２の内側に引き込まれる。したがって、袋７の側周部７３は、支持部３１の周囲にあるガイド部３２によって底部７２の外周縁から上方に立ち上げられる。
【０１０３】
そして、支持部３１とガイド部３２との相対的な位置関係が第２状態になると、図１１Ｃに示すように、ガイド部３２に囲まれた空間において、袋７は図１１Ａの状態から裏返った状態となり、商品９１は袋７に収容されることになる。このとき、側周部７３はガイド部３２の内周面に沿って立ち上がった状態となる。ここで、袋詰装置３は、第２状態において、載置面３１１からガイド部３２の上端面までの高低差が、袋７の上下方向の全長以上となるように構成されている。ここでいう「袋７の上下方向の全長」は、袋７の一対の持ち手７４を含む全長、つまり袋７の底部７２から持ち手７４の先端までの寸法である。これにより、袋７は持ち手７４の先端まで、ガイド部３２で囲まれた空間に収まる。そのため、袋７は側周部７３だけでなく、持ち手７４まで含めて立ち上がった状態となる。
【０１０４】
次に、袋詰装置３は、第１昇降部３３にて支持部３１を駆動し、支持部３１とガイド部３２との相対的な位置関係を第２状態から第１状態へと変化させることにより、ガイド部３２に囲まれた空間から、袋７を排出する。
【０１０５】
すなわち、載置面３１１上の袋７は、図１２Ａに示すように、支持部３１が上方に移動するのに伴って、ガイド部３２の上面側の開口から上方にせり出す。さらに、支持部３１が上方に移動することで、袋７は、図１２Ｂに示すように、ガイド部３２に囲まれた空間から完全に排出される。このとき、袋７は、持ち手７４を含め自立した姿勢を維持する。また、袋７は、袋供給装置２にて供給された図１１Ａの状態から、裏返されて商品９１を収容するので、袋７に文字等が印刷されている場合、反転印刷した袋７を用いることが好ましい。
【０１０６】
以上説明したような動作により、袋詰装置３は、載置面３１１上の袋詰スペースに置かれた商品９１を袋７に収容し、袋７の持ち手７４を立てた状態で、商品９１を顧客へ引き渡すことが可能である。載置面３１１上から商品９１がなくなると、袋詰装置３は、新たに袋７をセットして、待機状態で待機する。
【０１０７】
ところで、本実施形態では、袋詰装置３は、支持部３１、ガイド部３２、及び第１昇降部３３に加えて、図１３Ａ〜図１３Ｃに示すように、保持機構３４を有している。
【０１０８】
保持機構３４は、袋７の底部７２を載置面３１１に保持する機構である。保持機構３４は、底部７２を載置面３１１に保持する状態と、保持を解除する状態と、を切替可能に構成されている。ここでいう「保持」は、載置面３１１が底部７２を支持している状態を保ち続けること、を意味している。つまり、底部７２が載置面３１１に接触し載置面３１１にて下から支持されている状態が、保持機構３４にて維持される。袋詰装置３は、少なくとも支持部３１とガイド部３２との相対的な位置関係が第１状態から第２状態から変化する間、保持機構３４により、袋７の底部７２を載置面３１１に保持し続ける。
【０１０９】
本実施形態では、保持機構３４は、袋７の底部７２を摘むことにより、底部７２を保持する。具体的には、支持部３１の上面（載置面３１１）におけるＹ方向の両端部には、Ｘ方向に沿う一対の保持溝３１２（図１０参照）が形成されている。保持機構３４は、これら一対の保持溝３１２の各々に設けられ、保持溝３１２内に押し込まれた底部７２を挟むことにより、底部７２を保持溝３１２内に保持する。保持溝３１２内への底部７２の押し込みは、図１３Ａ及び図１３Ｂに示すように、凹所８２の底面を構成するシャッタ８２１の下面から下方に突出するフィン８２２にて行われる。保持機構３４は、回転軸３４１、及び板ばねからなる押付ばね３４２を有し、回転軸３４１を回転させることにより、押付ばね３４２を、保持溝３１２内に進入した進入位置と、保持溝３１２内から退避した退避位置との間で移動させる。
【０１１０】
すなわち、袋供給装置２による袋詰装置３への袋７の供給時に、図１３Ａに示すように、支持部３１及びガイド部３２は、シャッタ８２１に対して相対的に上昇する。このとき、図１３Ｂに示すように、保持溝３１２にフィン８２２が差し込まれる位置まで支持部３１及びガイド部３２が上昇した状態で、袋詰装置３は、待機状態となり待機する。これにより、底部７２の一部が、フィン８２２にて保持溝３１２内に押し込まれる。この状態では、押付ばね３４２は退避位置にある。この状態で、買物かご９２が袋詰スペース（凹所８２内）に置かれてシャッタ８２１が開放されると、保持溝３１２内に底部７２の一部を残したまま、袋詰装置３の上方から、シャッタ８２１及びフィン８２２が除去される。このとき、保持機構３４は、図１３Ｃに示すように、回転軸３４１を回転させ、押付ばね３４２を退避位置から進入位置に移動させる。これにより、保持溝３１２内において、底部７２の一部が押付ばね３４２にて保持溝３１２の側面に押し付けられた状態となり、保持機構３４は、袋７の底部７２を摘むことができる。
【０１１１】
（４）変形例
上記実施形態は本発明の一例に過ぎず、本発明は、上記実施形態に限定されることはなく、上記実施形態以外であっても、本発明に係る技術的思想を逸脱しない範囲であれば、設計等に応じて種々の変更が可能である。
【０１１２】
以下、上記実施形態の変形例を列挙する。
【０１１３】
袋詰装置３は、買物かご９２に入った状態の商品９１に限らず、買物かご９２に入っていない商品９１についても、袋詰めを行うことが可能である。この場合、顧客は、袋詰スペースに商品９１を直接置くことにより、袋詰装置３に商品９１の袋詰を行わせることができる。
【０１１４】
また、袋詰装置３の用途はコンビニエンスストアに限らず、コンビニエンスストア以外の店舗に袋詰装置３が設置されていてもよい。さらには、例えば、事務所や工場等、店舗以外の施設に袋詰装置３が設置されていてもよい。
【０１１５】
また、袋詰装置３は、袋７に商品９１を収容する構成であればよく、上述したような買物袋に限らず、例えば、エコバッグやネット袋等の袋７に商品９１を収容（袋詰め）する構成であってもよい。買物袋の材質についても、ポリエチレン製に限らず、例えばポリプロピレン製等でもよい。
【０１１６】
また、買物支援システム１００は、上記実施形態のように店員の操作を必要とせずに商品９１の購入が可能な販売システム４と併せて使用されなくてもよく、例えば、いわゆる有人レジのようにレジカウンタに店員が居る状況で使用されてもよい。
【０１１７】
また、例えば袋詰装置３及び販売システム４が１つの筐体（カウンタ台８）内に集約されていることは買物支援システム１００に必須の構成ではなく、買物支援システム１００の構成要素は、複数の筐体に分散して設けられていてもよい。
【０１１８】
また、袋供給装置２は、袋７を裏返してから袋詰装置３に供給するように構成されていてもよい。この場合、袋７は裏返った状態で袋詰装置３にセットされ、さらに裏返されて商品９１を収容するので、本来の袋７の外表面が、商品９１を収容した状態での外表面になる。したがって、袋７に文字等が印刷されている場合に、反転印刷した袋７を用いる必要がない。
【０１１９】
また、袋収納ケース１は、袋７の残枚数をカウントするセンサを有することが好ましい。この場合、袋収納ケース１における袋７の残枚数が設定値（例えば５枚）以下であれば、店員に対して、袋７の補充を促す通知が通知部にて行われる構成であることが好ましい。
【０１２０】
また、袋詰装置３の保持機構３４は、上記実施形態のように、袋７の底部７２を摘むことにより底部７２を保持する構成に限らず、例えば、真空吸着パッド等の吸着によって底部７２を載置面３１１に保持する構成であってもよい。
【０１２１】
また、上記実施形態では、取出機構２０は、Ｘ軸方向（第１方向）と直交するＺ軸方向（第２方向）に、捕捉部２１を移動部２２にて移動させる例を示したが、移動部２２が捕捉部２１を移動させる方向（第２方向）は、第１方向と直交していなくてもよい。つまり、取出機構２０は、複数枚の袋７の各々の厚み方向である第１方向と交差する第２方向に、捕捉部２１を移動部２２にて移動させればよく、例えば、第２方向は斜め下方であってもよい。このとき、鉛直方向に対する第２方向の傾斜角は、３０度以下であることが好ましい。鉛直方向に対する第２方向の傾斜角は、５度以下であることがより好ましい。鉛直方向に対する第２方向の傾斜角が小さい程、カット線７０２にて切離部７０１から袋７が切り離されやすくなる。
【０１２２】
また、捕捉部２１は、吸着パッドに限らず、例えば、対象袋７００の側周部７３を摘む構成等により、対象袋７００を捕捉してもよい。
【０１２３】
また、捕捉部２１が、対象袋７００のうち底部７２側の端部に位置する貼合部７５（図４参照）を捕捉する構成においては、Ｚ軸方向における貼合部７５の寸法を比較的大きく確保することが好ましい。これにより、捕捉部２１にて貼合部７５を捕捉（吸着）しやすくなり、捕捉部２１による袋７の捕捉の確実性が向上する。
【０１２４】
また、袋開き機構５は、２つの吸着パッド（第１吸着パッド５１及び第２吸着パッド５２）を有する構成に限らず、吸着パッドを３つ以上有していてもよい。さらに、袋開き機構５は、吸着パッドに限らず、例えば、対象袋７００の側周部７３を摘む構成、又は袋口７１から対象袋７００に空気を送り込むような構成等で、対象袋７００を開いてもよい。
【０１２５】
また、袋収納ケース１は、袋供給装置２と併せて使用される態様に限らず、例えば、人が手で袋７を取り出すような使い方をされてもよい。袋供給装置２についても、袋収納ケース１と併せて使用される態様に限らず、例えば、袋収納ケース１に収納されていない状態の袋束７０から対象袋７００を取り出すように構成されてもよい。
【０１２６】
また、サイズ又は色等が異なる複数種類の袋７が使用されている場合、袋収納ケース１ごとに異なる種類の袋７が収納されてもよい。この場合、袋供給装置２は、複数の袋収納ケース１の中から１つの袋収納ケース１を随時選択し、選択した袋収納ケース１から対象袋７００を取り出すように構成されることが好ましい。
【０１２７】
また、袋束７０における複数枚の袋７の持ち手７４を押さえる押さえ部１８は、上述した構成に限らず、例えば、弾性を有するローラ等で構成されていてもよい。この場合、ローラが回転することで、持ち手７４が押さえ部１８から解放される。
【０１２８】
また、移動部２２は、ベルト駆動式に限らず、例えば、チェーン駆動式、又はロボットアームのような構成で捕捉部２１を移動させてもよい。
【０１２９】
また、上記実施形態では、袋供給装置２は、反転機構にてＺ軸方向における対象袋７００の向きを反転させた後に、袋開き機構５にて対象袋７００を開いているが、この構成に限らない。すなわち、袋供給装置２は、袋開き機構５にて対象袋７００を開いた後に、反転機構にてＺ軸方向における対象袋７００の向きを反転させてもよい。
【０１３０】
上述した種々の変形例は、適宜組み合わせて適用可能である。
【０１３１】
（５）まとめ
以上説明したように、本発明の第１の態様に係る袋収納ケース（１）は、袋束（７０）を収納するケース本体（１１）と、ケース本体（１１）内において袋束（７０）を保持する保持部（１２）と、を備える。袋束（７０）は、各々の厚み方向である第１方向に重なった状態の複数枚の袋（７）を有する。ケース本体（１１）は、中心部（１１３）と、第１端面（１１１）及び第２端面（１１２）と、複数枚の袋（７）の各々を取り出すための取出口（１３）と、を有する。中心部（１１３）は、第１方向と交差する第２方向の中心に位置する。第１端面（１１１）及び第２端面（１１２）は、第２方向の両端に位置する。取出口（１３）は、第２方向における中心部（１１３）と第１端面（１１１）との間の位置に開口する。保持部（１２）は、ケース本体（１１）の第２方向における中心部（１１３）と第２端面（１１２）との間に位置する。
【０１３２】
この構成によれば、袋収納ケース（１）は、袋束（７０）の状態で複数枚の袋（７）をまとめて収納可能である。しかも、袋収納ケース（１）は、複数枚の袋（７）を有する袋束（７０）を保持部（１２）にて保持するので、袋収納ケース（１）内において複数枚の袋（７）がばらばらになることが抑制される。さらに、袋収納ケース（１）は、ケース本体（１１）の中心部（１１３）に対してＺ軸方向において保持部（１２）の反対側に位置する取出口（１３）から、袋（７）を１枚ずつ取り出すことが可能である。そのため、取出口（１３）から露出した１枚の袋（７）を何らかの手段で捕捉した状態で、この袋（７）を第２方向に引っ張ることにより、保持部（１２）での保持を解除し、袋収納ケース（１）から１枚の袋（７）を取り出すことが可能である。そのため、袋束（７０）に対して第１方向の側方に十分なスペースを確保できない場合でも、袋収納ケース（１）から１枚の袋（７）を取り出すことが可能である。よって、袋（７）の取り扱いに掛かる手間を低減できる、という利点がある。
【０１３３】
本発明の第２の態様に係る袋収納ケース（１）は、第１の態様において、取出口（１３）は、ケース本体（１１）における第１方向の一面に形成されていることが好ましい。
【０１３４】
この構成によれば、ケース本体（１１）における第１方向の一面に形成された取出口（１３）から露出した１枚の袋（７）を第２方向に引っ張ることにより、取出口（１３）を通して袋収納ケース（１）から１枚の袋（７）を取り出すことが可能である。そのため、取出口（１３）からの袋（７）の露出面積を、袋（７）を捕捉するのに十分な大きさ以上に設定しやすくなる。ただし、この構成は袋収納ケース（１）に必須の構成ではなく、例えば、取出口（１３）は、ケース本体（１１）における第２方向の一面に形成されていてもよい。
【０１３５】
本発明の第３の態様に係る袋収納ケース（１）は、第１又は２の態様において、袋束（７０）が、複数枚の袋（７）に対して切り離し可能に連結された切離部（７０１）を有することが好ましい。この場合、保持部（１２）は、袋束（７０）の切離部（７０１）を保持しており、複数枚の袋（７）の各々が切離部（７０１）から切り離されることにより、袋（７）の保持を解除するように構成されていることが好ましい。
【０１３６】
この構成によれば、複数枚の袋（７）の各々が切離部（７０１）から切り離されることにより、保持部（１２）での袋（７）の保持が解除されるので、保持部（１２）の構造を簡略化できる。ただし、この構成は袋収納ケース（１）に必須の構成ではなく、例えば、保持部（１２）が可動式で、複数枚の袋（７）の各々を保持する状態と、保持を解除する状態とを切替可能であってもよい。
【０１３７】
本発明の第４の態様に係る袋収納ケース（１）は、第１〜３のいずれかの態様において、ケース本体（１１）が、第１方向の少なくとも一方から、袋束（７０）における複数枚の袋（７）の持ち手（７４）を押さえる押さえ部（１８）を更に有することが好ましい。
【０１３８】
この構成によれば、袋束（７０）における複数枚の袋（７）の持ち手（７４）が、自重で垂れ下がることが抑制され、持ち手（７４）がばらばらになりにくい。ただし、この構成は袋収納ケース（１）に必須の構成ではなく、押さえ部（１８）は適宜省略可能である。
【０１３９】
本発明の第５の態様に係る袋収納ケース（１）は、第１〜４のいずれかの態様において、ケース本体（１１）が、ボディ（１１４）と、カバー（１１５）と、を更に有することが好ましい。カバー（１１５）は、第１方向においてボディ（１１４）との間に袋束（７０）を収納する空間を形成する。カバー（１１５）は、ボディ（１１４）との間に袋束（７０）を収納する閉位置と、袋束（７０）を開放する開位置との間で移動可能に構成されていることが好ましい。
【０１４０】
この構成によれば、袋束（７０）がボディ（１１４）とカバー（１１５）とで挟まれるので、例えば、袋口（７１）から空気が入ることにより袋束（７０）が第１方向に広がることが抑制され、袋束（７０）の第１方向における寸法の膨張が抑制される。ただし、この構成は袋収納ケース（１）に必須の構成ではなく、カバー（１１５）は適宜省略可能である。
【０１４１】
本発明の第６の態様に係る袋収納ケース（１）は、第５の態様において、カバー（１１５）が、閉位置にある状態で第１方向において袋束（７０）と対向する位置に、第１方向に貫通する透孔（１７）を有することが好ましい。
【０１４２】
この構成によれば、透孔（１７）が無い構成に比較して、カバー（１１５）と袋（７）との間の摩擦抵抗が低減され、袋収納ケース（１）から袋（７）が取り出しやすくなる。ただし、この構成は袋収納ケース（１）に必須の構成ではなく、透孔（１７）は適宜省略可能である。
【０１４３】
本発明の第７の態様に係る袋供給装置（２）は、袋束（７０）から、複数枚の袋（７）のうち第１方向の一端に位置する１枚の対象袋（７００）を取り出す取出機構（２０）を備える。袋束（７０）は、各々の厚み方向である第１方向に重なった状態の複数枚の袋（７）を有する。取出機構（２０）は、対象袋（７００）を捕捉する捕捉部（２１）と、捕捉部（２１）を移動させる移動部（２２）と、を有する。取出機構（２０）は、第１方向において対象袋（７００）と対向するように配置された捕捉部（２１）にて対象袋（７００）を捕捉した状態で、第１方向と交差する第２方向に捕捉部（２１）を移動部（２２）にて移動させる。これにより、取出機構（２０）は、袋束（７０）から対象袋（７００）を取り出すように構成されている。
【０１４４】
この構成によれば、袋供給装置（２）は、袋束（７０）の状態の複数枚の袋（７）から１枚の対象袋（７００）を取り出すことが可能である。しかも、袋供給装置（２）は、複数枚の袋（７）のうち第１方向の一端に位置する１枚の対象袋（７００）を取り出すので、対象袋（７００）を取り出す際に、複数枚の袋（７）がばらばらになることが抑制される。さらに、取出機構（２０）は、捕捉部（２１）にて対象袋（７００）を捕捉した状態で、第２方向に捕捉部（２１）を移動部（２２）にて移動させることにより、袋束（７０）から対象袋（７００）を取り出すことが可能である。そのため、袋束（７０）に対して第１方向の側方に十分なスペースを確保できない場合でも、袋束（７０）から対象袋（７００）を取り出すことが可能である。よって、袋（７）の取り扱いに掛かる手間を低減できる、という利点がある。
【０１４５】
本発明の第８の態様に係る袋供給装置（２）は、第７の態様において、取出機構（２０）により取り出した対象袋（７００）の袋口（７１）が広がるように対象袋（７００）を開く、袋開き機構（５）を更に備えることが好ましい。
【０１４６】
この構成によれば、例えば、対象袋（７００）を袋詰装置（３）に供給する場合等において、対象袋（７００）を開く作業についても自動化することができる。ただし、この構成は袋供給装置（２）に必須の構成ではなく、袋開き機構（５）は適宜省略可能である。
【０１４７】
本発明の第９の態様に係る袋供給装置（２）は、第７又は８の態様において、反転機構を更に備えることが好ましい。反転機構は、取出機構（２０）により取り出した対象袋（７００）について、袋束（７０）に含まれている状態から第２方向における対象袋（７００）の向きを反転させる。
【０１４８】
この構成によれば、例えば、対象袋（７００）を袋詰装置（３）に供給する場合等において、第２方向における対象袋（７００）の向きを反転させる作業についても自動化することができる。ただし、この構成は袋供給装置（２）に必須の構成ではなく、反転機構は適宜省略可能である。
【０１４９】
本発明の第１０の態様に係る袋供給装置（２）は、第９の態様において、取出機構（２０）が、第２方向における捕捉部（２１）の向きが反転するように、移動部（２２）により捕捉部（２１）を移動させることによって、反転機構として兼用されることが好ましい。
【０１５０】
この構成によれば、取出機構（２０）とは別に反転機構が設けられる場合に比べて、袋供給装置（２）の構成を簡略化することができる。ただし、この構成は袋供給装置（２）に必須の構成ではなく、反転機構は取出機構（２０）とは別に設けられていてもよい。
【０１５１】
本発明の第１１の態様に係る袋供給装置（２）は、第７〜１０のいずれかの態様において、セット機構（６）を更に備えることが好ましい。セット機構（６）は、袋詰装置（３）に対し、取出機構（２０）により取り出した対象袋（７００）を、対象袋（７００）の袋口（７１）を下方に向けた状態でガイド部（３２）に上方から被せる。袋詰装置（３）は、商品（９１）を載せる載置面（３１１）が形成された支持部（３１）と、載置面（３１１）の外周縁に沿って支持部（３１）の周囲に配置されるガイド部（３２）と、を有する。セット機構（６）は、予備開き部（６１）を有することが好ましい。予備開き部（６１）は、ガイド部（３２）と対象袋（７００）の袋口（７１）との間において、ガイド部（３２）が対象袋（７００）の袋口（７１）に下方から挿入されるのに先行して、対象袋（７００）の袋口（７１）を少なくともガイド部（３２）が挿入可能な大きさに広げる。
【０１５２】
この構成によれば、予備開き部（６１）によって対象袋（７００）の袋口（７１）が広げられた状態で、対象袋（７００）の袋口（７１）からガイド部（３２）がスムーズに挿入可能となる。ただし、この構成は袋供給装置（２）に必須の構成ではなく、予備開き部（６１）は適宜省略可能である。
【符号の説明】
【０１５３】
１  袋収納ケース
２  袋供給装置
３  袋詰装置
３１  支持部
３１１  載置面
３２  ガイド部
５  袋開き機構
６  セット機構
６１  予備開き部
７  袋
７０  袋束
７１  袋口
７００  対象袋
７０１  切離部
１１  ケース本体
１１１  第１端面
１１２  第２端面
１１３  中心部
１１４  ボディ
１１５  カバー
１２  保持部
１３  取出口
１７  透孔
１８  押さえ部
２０  取出機構（反転機構）
２１  捕捉部
２２  移動部
９１  商品
【図１】
2018090295.tif 000003
【図２】
2018090295.tif 000004
【図３】
2018090295.tif 000005
【図４】
2018090295.tif 000006
【図５】
2018090295.tif 000007
【図６】
2018090295.tif 000008
【図７】
2018090295.tif 000009
【図８】
2018090295.tif 000010
【図９】
2018090295.tif 000011
【図１０】
2018090295.tif 000012
【図１１】
2018090295.tif 000013
【図１２】
2018090295.tif 000014
【図１３】
2018090295.tif 000015